(57)【要約】【課題】従来の袖瓦と比べて、袖瓦の外側面を流れる雨水が落下し難い袖瓦を提供する。【解決手段】袖瓦２は、本体部３と袖垂れ部５を備える。本体部３は、一方の平面を上方に向けて葺設される部位である。袖垂れ部５は、本体部３の右側または左側からけらばに沿って下方へ垂下する部位である。袖瓦２には、袖垂れ部５の外側面５ａの下端に、尻から頭にわたって突条の雨受６が設けられている。袖垂れ部の外側面は、袖瓦の頭側で内側へ屈曲あるいは湾曲している。雨受６も袖垂れ部５の外側面５ａに沿って内側へ屈曲あるいは湾曲している。そして、葺設時に本体部の表面に対する垂直上方からみたとき、袖垂れ部５の外側面５ａと雨受６との境界線と、袖瓦の頭側側面との交点が、葺設時にその袖瓦２の下段に位置する下段袖瓦１０２の雨受の上面と重なる。【選択図】図２
2014201919.tif 000002
【特許請求の範囲】
【請求項１】
一方の平面を上方に向けて葺設される本体部と、本体部の右側または左側からけらばに沿って下方へ垂下する袖垂れ部とを備える袖瓦であり、
袖垂れ部の外側面の下端に、尻から頭にわたって突条が設けられており、
袖垂れ部の外側面が、袖瓦の頭側で内側へ屈曲あるいは湾曲しているとともに、前記突条も袖垂れ部の外側面に沿って内側へ屈曲あるいは湾曲しており、
葺設時に本体部の表面に対する垂直上方からみたときに、袖垂れ部の外側面と突条との境界線と、袖瓦の頭側側面との交点が、葺設時に当該袖瓦の下段に位置する下段袖瓦の突条の上面と重なることを特徴とする袖瓦。
【請求項２】
前記垂直上方からみたときに、袖垂れ部の外側面と突条の境界線のうち屈曲箇所よりも頭側の境界線と、屈曲箇所よりも尻側の境界線の延長線とのなす角度が４５度以下であることを特徴とする請求項１に記載の袖瓦。
【請求項３】
前記垂直上方からみたときに、突条の外側輪郭線と袖瓦の頭側側面との交点が、葺設時に当該袖瓦の下段に位置する下段袖瓦の突条の上面と重なることを特徴とする請求項１又は２に記載の袖瓦。
【請求項４】
突条の最大幅が袖垂れ部の厚み以下であることを特徴とする請求項１から３のいずれか１項に記載の袖瓦。
【請求項５】
突条の頭側の幅が尻側の幅よりも狭いことを特徴とする請求項４に記載の袖瓦。
【発明の詳細な説明】
【技術分野】
【０００１】
本発明は、袖瓦に関する。袖瓦は、「けらば瓦」とも呼ばれることもある。
【背景技術】
【０００２】
切妻屋根の妻側端部（けらば）を覆う袖瓦では、袖垂れ部を流れる雨水が軒先まで伝わらずに途中で落下し、地面等に当たって立てる音が家屋の住民に不快感を与えることがある。そこで、袖垂れ部を流れる雨水が軒先まで伝わるように袖瓦を工夫する技術がいくつか提案されている（特許文献１乃至３）。
【０００３】
なお、以下、理解し易くするため、いくつかの用語を定義する。葺設された瓦において、「頭」と「尻」はよく知られている用語である。「頭」は、葺設したときの瓦の軒先側を意味し、「尻」は屋根の棟（屋根の稜線に相当する部分）側を意味する。尻から頭に向かう方向は「流れ方向」と称されている。また、「頭見付面」とは、袖瓦において軒先方向を向く面を意味する。これら良く知られている技術用語に加えて、本明細書では、けらばに葺設された袖瓦から見て屋根の棟方向に沿った棟の中央に近い側を「内側」と称し、遠い側を「外側」と称する。袖瓦の袖垂れ部の両面において、内側面（棟の中央側を向く面）は、けらばに対向する面に相当し、外側面（外側を向く面）は、風雨を直接に受ける面に相当する。
【０００４】
袖垂れ部からの雨滴の落下を防止する従来の技術について説明する。特許文献１の技術では、単純に袖瓦に金属製の雨樋を取り付ける。金属製であるため雨樋は薄板で構成することができ、けらばに沿って上段の雨樋と下段の雨樋は一部が重なり合い、けらばの上端から軒先まで連続した雨樋が構成される。ただし、金属製の雨樋は、陶器製の厚手の瓦が作り出す美観とマッチしない場合がある。他方、少なくとも１５ｍｍ程度の厚みを有する瓦では、瓦自体に雨樋に相当する部位を付加する場合、単純に一部が重複するように構成すると雨樋が極端に大きくなって美観を損ねる要因となりかねない。また、陶器製の大きな雨樋は、運搬時に破損する可能性が大きくなる。
【０００５】
そこで、美観を損なわず、また大型の雨樋形状とせずに、雨水の落下を防止する構造を備えた袖瓦が特許文献２、３で提案されている。特許文献２に開示された袖瓦は次の通りである。袖垂れ部の外側面は、尻と頭の中間（長手方向の中間）から頭側の面（特許文献３では「外方面部」と称している）が、尻と頭の中間から尻側の面（特許文献３では「内方面部」と称している）よりも外側にシフトしている。内方面部の下方に雨を受ける突条（特許文献３では「細桟状部材」と称している）が設けられている。葺設時、下段の袖瓦の細桟状部材の尻側端は、上段の袖瓦の外方面部の下面と対向する。雨水は、内方面部では、細桟状部材の上面を伝うが、その細桟状部材は内方面部と外方面部の境界で終わっている。雨水は細桟状部材の頭側先端から外方面部の側面を伝うことになるが、表面張力により外方面部の下面側に回り込み、そこから下段の袖瓦の細桟状部材の上面に移る。こうして雨水は順次に下段の袖瓦へと伝わる。
【０００６】
また、特許文献３に開示された袖瓦は次の通りである。袖垂れ部の外側面に尻側から頭側にわたって溝が設けられている。溝の２つの側面のうち、下側の側面が雨を受ける。袖垂れ部は、頭側で内側（棟の中央に向かう方向）に回り込んでおり、その先端面（屋根の棟の中央側を向く端面）に棟の中央側に突出する突部が設けられている。溝も袖垂れ部の頭側側面（頭見付面）へと回り込んでおり、上記の突部まで続いている。そして、葺設時、袖瓦が上下に組み合わされると、上段の袖瓦の突部が下段の袖瓦の尻側で溝に嵌合する。上段の袖瓦の突部の下方に下段の袖瓦の溝が位置することになる。上段の溝の下側側面を流れる雨水は、突部まで来ると下方に伝い落ちるがそこで下段の袖瓦の溝の下側側面に受けられる。こうして、雨水は順次に下段の袖瓦へと伝わる。なお、上段の溝は、頭見付面の最内側の端部で、下段の溝と上下方向に重なる。
【先行技術文献】
【特許文献】
【０００７】
【特許文献１】特開２００２−８８９９１号公報
【特許文献２】特開２００７−１３８４９５号公報
【特許文献３】特開２０１０−１９０００３号公報
【発明の概要】
【発明が解決しようとする課題】
【０００８】
特許文献２の技術では、袖垂れ部の下端に突条（細桟状部材）が設けられており、雨水はその突条の上面を流れるが、突条は、流れ方向の途中で終わっており、そこからは雨水の表面張力に頼って落下を防止する。それゆえ、風雨が強くなると、外方面部の下面側に回りこめずに落下する雨量が増加する。
【０００９】
また、発明者らの考察によると、特許文献３の技術には次の課題がある。特許文献３の袖瓦では、上段の袖瓦の袖垂れ部の溝は、外側面から頭側にて内側（頭見付面）に回り込んでおり、頭見付面の最内側の端部において、下段の袖瓦の溝と重なっている。溝は、概ね直角方向にカーブして頭見付面に回り込んでいる。外側面の溝に受け止められた雨水は、頭見付面の最内側の端部まで達したら下段の袖瓦の溝に移動することができる。しかし、降雨が激しい場合など、外側面の溝で流れに勢いが増すと、溝は概ね直角方向にカーブして頭見付面に回り込んでいるので水流は溝のカーブについていけず、溝から離れて直進してしまい、下段の袖瓦に伝うことなく落下してしまう。
【００１０】
本明細書は、上記の課題に鑑みて創作された。本明細書が開示する技術は、従来の袖瓦と比べて、袖瓦の外側面を流れる雨水が落下し難い袖瓦を提供する。
【課題を解決するための手段】
【００１１】
袖垂れ部の外側面に直線状の雨樋を設ければ、特許文献３の技術の課題は解決する。しかしながら、特許文献１に関して述べたように、１５ｍｍ程度の厚みのある瓦に同じ素材で直線状の雨樋を設けると雨樋が大きくなり、美観を損ねるとともに、運搬時に破損する虞が高くなる。発明者らの検討によると、突条の幅（突条上面の幅）は、瓦の厚み以下であることが望ましい。それ以上に幅が広いと、運搬時に破損する虞が高くなる。しかしながら、瓦の厚みと同程度の幅の突条を単純に袖垂れ部の外側面に設けるだけでは、葺設したときに上段の瓦の突条と下段の瓦の突条は重ならない。下段の瓦の突条は上段の瓦の袖垂れ部と重なるだけで袖垂れ部から外側へは張り出さないからである。
【００１２】
そこで、本明細書が開示する袖瓦では、袖垂れ部の外側面を、頭側で僅かに内側に屈曲（あるいは湾曲させる）。そして、袖垂れ部の外側面の下端に、尻から頭にわたって突条を設け、その突条も、袖垂れ部の外側面に沿って内側に屈曲（あるいは湾曲）させる。さらに、突条は、葺設時に袖瓦をその垂直上方からみたときに、突条上面の外側の輪郭線と袖瓦の頭側側面（頭見付面）との交点が、葺設時に下段に位置する袖瓦の突条の上面と重なるように設ける。なお、「垂直上方」とは、袖瓦の本体部（屋根板の上に位置する部分であり、葺設時に一方の面が上方を向く部分）の表面に対して垂直な上方を意味する。以下、「垂直上方」は、同じ意味で用いる。また、以下では、袖瓦の本体部の表面に対する垂直方向を、「袖瓦の垂直方向」あるいは単純に「垂直方向」と表現する。
【００１３】
上記の構造では、袖垂れ部の外側面を、頭側において僅かに内側に屈曲（あるいは湾曲）させることにより、外側面に設ける突条の頭側も内側に屈曲（あるいは湾曲）させることができるようにする。こうすることで、突条の尻側の幅が瓦の厚みと同程度あるいはそれ以下であっても、葺設したときに、上段の袖瓦の突条の頭側端部と、下段の袖瓦の突条の尻側端部が袖瓦の垂直方向で重なる。より詳細には、葺設時に垂直上方からみたときに、上段の袖瓦の突条上面の外側輪郭線と袖瓦の頭見付面との交点が、下段に位置する袖瓦の突条の上面と重なるように突条を設ける。上段の袖瓦の突条上面を流れる雨水は、勢いが強い場合、上記の交点で突条から離れて直進する。しかし、上記の交点の直下には下段の袖瓦の突条上面が位置するため、雨水はその突条上面に落下し、下段の袖瓦の突条上面を流れることになる。こうして、上段の袖瓦の突条上面から下段の袖瓦の突条上面へと雨水が移動する。従って雨水は袖垂れ部から地面に落下する可能性を小さくすることができる。
【００１４】
以上をまとめると、本明細書が開示する袖瓦は、袖垂れ部下端に設ける突条が瓦の厚み以下の幅でありながら、袖垂れ部と突条を頭側で内側に屈曲（あるいは湾曲）させることで、葺設時の上段の袖瓦の突条の頭側端部と下段の袖瓦の突条の尻側端部を垂直上方からみて重ねることができる。こうして、突条の厚みを大きくすることなく、雨水が袖垂れ部から地面に落下する可能性を低減することができる。
【００１５】
発明者は、さらに鋭意検討した結果、尻側における突条の幅をもう少し狭くしても、上記した袖瓦ほどではないが、従来の袖瓦と比較すると袖垂れ部からの雨水の落下抑止効果があることを見出した。上記の袖瓦は、葺設時に垂直上方からみたときに、上段の袖瓦の突条上面の外側輪郭線と袖瓦の頭見付面との交点が、下段に位置する袖瓦の突条の上面と重なるように突条を設けるものであった。もう少し突条の幅を狭め、葺設時に垂直上方からみたときに、袖垂れ部の外側面と突条との境界線と、袖瓦の頭側側面との交点が、葺設時に当該袖瓦の下段に位置する下段袖瓦の突条の上面と重なるように設けてもよい。先に説明した袖瓦の構成は、葺設時に鉛直上方からみると、突条の上面の頭側の縁が全て下段の袖瓦の突条上面と重なる。ここで説明した袖瓦の構成は、葺設時に垂直上方からみると、突条の上面の頭側の縁の一部が下段の袖瓦の突条上面と重なる。下段の袖瓦の突条上面と重なる範囲において上段の袖瓦の突条上面の頭側の縁から落下する雨水は、下段の袖瓦の突条上面に落ちるので地面へは落下しない。なお、突条上面を伝う雨水は、その表面張力により、突条上面の縁から続く袖垂れ部の外側面に吸い寄せられる。即ち、雨水の多くは、垂直上方からみて袖垂れ部の外側面と突条上面との境界付近を通る。従って、葺設時に垂直上方からみたときに突条の上面の頭側の縁の一部が下段の袖瓦の突条上面と重なる構成であっても、雨水が地面へ落下することが効果的に抑制される。
【００１６】
袖垂れ部の外側面に吸い寄せられた雨水が、袖垂れ部の外側面の頭側の屈曲部においても外側面から離れないためには、葺設時に垂直上方からみたときに、袖垂れ部の外側面と突条の境界線のうち屈曲箇所よりも頭側の境界線と、屈曲箇所よりも尻側の境界線の延長線とのなす角度が４５度以下であるのがよい。即ち、前述の角度が４５度より大きいと、屈曲が急すぎて勢いよく流れる雨水は外側面から離れてしまう。発明者の検討によると、前述の角度が４５度以下であると、雨水は外側面から離れ難くなり、その結果、雨水の多くは外側面と突条上面との境界付近を通り、そのまま下方に落下しても、雨水は地面へ落下せず、下段の袖瓦の突条上面に落ちる。なお、袖垂れ部の外側面が、袖瓦の頭側で内側へ湾曲している場合は、垂直上方からみて湾曲を直線で近似化した線分と湾曲部よりも尻側の境界線とがなす角度が４５度以下であればよい。即ち、「葺設時に垂直上方からみたときに、袖垂れ部の外側面と突条の境界線のうち屈曲箇所よりも頭側の境界線と、屈曲箇所よりも尻側の境界線の延長線とのなす角度が４５度以下である」とは、外側面が頭側で湾曲している場合には垂直上方からみたときのその湾曲線の近似直線が上記の条件を満足することを含む。
【００１７】
突条の幅は、尻から頭にかけて一定でなくともよく、逆に、尻から頭にかけて漸減しているのがよい。突条の幅は、尻側で最も大きく、それでも瓦の厚みより大きくする必要がない。突条の頭側では、上記した交点を内側に寄せるべく、突条の幅は小さい方がよい。
【００１８】
本明細書が開示する袖瓦の詳細とさらなる改良は、「発明を実施するための形態」にて詳しく説明する。
【図面の簡単な説明】
【００１９】
【図１】第１実施例の袖瓦の斜視図である。
【図２】３個の袖瓦を葺設した状態を示す斜視図である。
【図３】図２の符号IIIが示す範囲の拡大図である。
【図４】図３の範囲を垂直上方から見た図である。
【図５】葺設された袖瓦を上方から見た図である。
【図６】図４と同じ図であって角度Ａｔを示した図である。
【図７】変形例の袖瓦の図４に対応する拡大図である。
【図８】第２実施例の袖瓦の図４に対応する拡大図である。
【発明を実施するための形態】
【００２０】
（第１実施例）図面を参照して、第１実施例の袖瓦２を説明する。図１に、袖瓦２の斜視図を示す。袖瓦２は、軒先からみるとＬ字型をなしており、葺設時に平面が上方を向く部分を本体部３と称し、軒先から見て本体部３の右側から下方へ垂れる部分を袖垂れ部５と称する。袖垂れ部５は、葺設したときにけらばに沿って下方に垂れる。
【００２１】
図中の座標系について説明する。座標系ＸＹＺは、袖瓦２を屋根に葺設したときの袖瓦２の姿勢を基準に定められている。Ｚ軸は、本体部３の表面に対して垂直な方向に定められている。即ち、Ｚ軸が向く方向が、前述した垂直方向であり、Ｚ軸の正方向から袖瓦２を見下ろす場合が、「垂直上方からみたとき」に相当する。Ｘ軸は、葺設時の屋根の棟（屋根の稜線に相当する部分）から軒先に向かう方向に定められている。この方向（Ｘ軸の正方向）は、「流れ方向」とも呼ばれる。なお、葺設されたときに棟側に位置する瓦の端部を「尻」と称し、軒先側に位置する端部は「頭」と称される。
【００２２】
Ｙ軸は、棟方向に沿って定められている。図のＸＹＺ軸に付した矢印Ｖは、葺設時の鉛直上方を示しており、Ｈは屋根の棟から軒先方向へ向かう水平方向を示している。Ｖ軸とＺ軸の間の角度Ａｇが、概ね、屋根の勾配に相当する（「概ね」としたのは、瓦は屋根の野地板に対して僅かに傾いているからである）。図２以降でも、座標系の定義は同じである。
【００２３】
第１実施例の袖瓦２の袖垂れ部５は、軒先からみて本体部３の右側に設けられている。すなわち、この袖瓦２は、軒先から見て屋根の右側のけらばに葺設されるものである。従って図中の座標系においてＹ軸の負方向が屋根の棟の中心方向に相当し、Ｙ軸の正方向が、屋根から離れる方向に相当する。説明の便宜上、けらばに葺設された袖瓦２から見て、屋根の棟方向に沿った棟の中央に近い側（Ｙ軸の負方向）を「内側」と称し、棟の中央から遠い側（Ｙ軸の正方向）を「外側」と称する。図中の符号５ａは、袖垂れ部５の外側面であり、この面が、風雨に晒される面である。
【００２４】
袖瓦２の全体の構造を説明する。本体部３の上面の外側端に、尻から頭にわたって突条が設けられている。この突条は、本体部３の上面を流れる水ができるだけ袖垂れ部５の外側面５ａに流れ落ちないように堰き止めるものであり、上面流れ方向水返し３ａと称する。本体部３の上面の尻側には棟方向に延びる突条が設けられている。この突条は、雨水が尻側から瓦の下へ落下しないように堰き止めるものであり、尻側水返し３ｂと称する。なお、袖瓦２を葺設する際、下段に位置する袖瓦の上面流れ方向水返し３ａは、上段に位置する袖瓦の本体部３の下面に設けられた本体下面切欠３ｃと嵌合する。また、このとき、下段の袖瓦の尻側水返し３ｂは、上段の袖瓦の本体部３に覆われる（葺設したときの状態を図２に示すので参照されたい）。
【００２５】
袖垂れ部５について説明する。袖垂れ部５の外側面５ａの下端に、尻から頭にわたって突条が設けられており、この突条を雨受６と称する。外側面５ａを流れる雨水は、この雨受６の上面６ａで受け止められ。地面へ落下することが防がれる。
【００２６】
袖垂れ部５の外側面５ａは、頭側にて、内側（即ち、葺設時の棟の中央方向であり、図中のＹ軸の負方向）に屈曲しており、その先で、袖瓦の頭側を向く側面と連続している。袖瓦の頭側を向く側面を、頭見付面５ｃと称する。別言すれば、頭見付面５ｃは、葺設したときに軒先側を向く面のことであり、袖瓦の「頭側側面」と言い換えてもよい。雨受６も頭側で外側面５ａの屈曲に沿って屈曲している。符号５ｂが指す面が、外側面５ａのうちで内側へ屈曲している面であり、この面を以下では外側面５ａの切り落とし面５ｂと称する。同様に、雨受６の側面のうちで内側へ屈曲している面（符号６ｂが指す面）を、雨受６の切り落とし面６ｂと称する。
【００２７】
符号Ｐは、雨受６の外側面（上方から見ると雨受６の外側輪郭線）が頭見付面５ｃと交差する箇所を指している。符号Ｐが指す箇所を、葺設時に垂直上方からみたときに雨受６の外側輪郭線と頭見付面５ｃが交差する箇所であるとして、交差位置Ｐと称する。この交差位置Ｐの特徴は後に詳しく説明する。なお、本実施例では、垂直上方からみたときの雨受６の外側輪郭線は、雨受上面６ａの外側輪郭線に等価である。
【００２８】
図２に３個の袖瓦２、１０２、２０２を葺設したときの状態を示す。前述したように、座標系ＸＹＺに付加した矢印Ｖが葺設時の鉛直上方を示し、矢印Ｈが葺設時の棟から軒先方向に向かう水平方向を示す。図２は、袖瓦２を中心として、袖瓦１０２がその下段に葺設され、袖瓦２０２がその上段に葺設された状態を示している。袖瓦の本体部３（１０３、２０３）の上面に落下した雨水は、順次下段の袖瓦の本体部の上面に移動する。このとき、本体部上面の外側に設けられた上面流れ方向水返し３ａ（１０３ａ、２０３ａ）が、本体部上面の雨水が袖垂れ部５（１０５、２０５）に沿って落ちることを防止する。
【００２９】
袖垂れ部５（１０５、２０５）の外側面５ａ（１０５ａ、２０５ａ）に付着した雨水は、外側面５ａ（１０５ａ、２０５ａ）を下方へと伝い、外側面の下端で尻／頭方向に延びる雨受６（１０６、２０６）の上面６ａ（１０６ａ、２０６ａ）で受けられる。その後、雨水は上面６ａ（１０６ａ、２０６ａ）の上を頭方向に移動する。上面６ａ（１０６ａ、２０６ａ）の上を頭側の端まで移動した雨水は、下段の雨受の上面６ａ（１０６ａ、２０６ａ）に移動する。その仕組みを、図３、図４を参照して説明する。
【００３０】
図３は、図２の符号IIIが示す領域の部分拡大図である。図４は、図３が表す部位を、Ｚ軸の正方向、即ち、垂直上方から見た平面図である。なお、図を理解し易くするため、図４において、本体部３の上面の上面流れ方向水返し３ａは図示を省略している。
【００３１】
雨受６の上面６ａの上を頭側の端まで移動した雨水は、外側面５ａの切り落とし面５ｂに沿って内側に移動し、次いで頭見付面５ｃを伝って下段の袖瓦１０２の雨受１０６の上面１０６ａの上に到達する。上面６ａの上を尻側から頭側へ向かって流れてきた雨水の勢いが強いと、頭側で屈曲している先端上面６ｃまでは表面張力により屈曲に沿ってその流れを変えるが、流れの一部は、頭見付面５ｃを伝って下方に移動するのではなく、先端上面６ｃから飛び出して自由落下する。ここで、先端上面６ｃの流れ方向の下流側には、下段の袖瓦１０２の雨受１０６が位置するので、自由落下した雨水は雨受１０６の上面１０６ａに到達する。図３、４の矢印Ｆが、そのときの雨水の流れを示している。こうして、上段の袖瓦２の雨受６の上面６ａを伝った雨水の大部分は下段の袖瓦１０２の雨受１０６の上面１０６ａに到達する。雨水の勢いが強く、上面６ａの先端６ｃから飛び出した雨水も下段の袖瓦１０２の雨受上面１０６ａに達するので地面へ落下しない。即ち、上記した雨受６の構造は、袖瓦の袖垂れ部から地面へ落下する雨水の量を抑えることができる。
【００３２】
上記のとおり、上段の袖瓦２において、頭側の先端で先端上面６ｃから離れて自由落下する雨水が下段の袖瓦１０２の雨受１０６の上に落下するための条件は、交差位置Ｐと下段の袖瓦１０２の雨受け１０６との関係に依存する。その関係は、葺設した際に垂直上方からみたときに、交差位置Ｐが、上段の袖瓦２の下段に位置する下段袖瓦１０２の雨受１０６の上面１０６ａと重なっていることである。交差位置Ｐは、上段の袖瓦２の雨受６の外側輪郭線ＰＬと袖瓦２の頭見付面５ｃとの交点である。繰り返すが、垂直上方とは、葺設したときに本体部３の表面（葺設したときに上方を向く面）に対して垂直な上方である。
【００３３】
なお、図５において符号Ｑが示す箇所は、葺設時に垂直上方からみたときに、袖垂れ部５の外側面５ａと雨受６との境界線と、袖瓦２の頭側側面５ｃとの交点である。この交点Ｑは、葺設時に袖瓦２の下段に位置する下段袖瓦１０２の雨受６の上面６ａと垂直方向で重なる。この構造的特徴は、後に説明する第２実施例の袖瓦７０２も備える特徴である。
【００３４】
次に、袖垂れ部５の厚みと、雨受６の幅の関係について説明する。図５は、上段の袖瓦２と下段の袖瓦１０２を葺設した状態を垂直上方からみた平面図である。なお、図５において符号IVが示す範囲が先の図４に相当する。破線５ｄは、袖垂れ部５の内側面を示している。即ち、外側面５ａを示す線と内側面５ｄが示す破線の間の距離が袖垂れ部５の厚みＷ２に相当する。袖垂れ部５の厚みＷ２は、図４にも付してあるので参照されたい。図４、図５に示すように、内側面５ｄは、頭側で段差５ｅを有しており、袖垂れ部５は、尻側の厚みW２ｅに対して頭側の厚みＷ２ｓが若干小さい。また、雨受６の幅も、尻側の幅Ｗ１ｅに対して頭側の幅Ｗ１ｓが小さい。なお、図５によく示されているように、袖垂れ部５の外側面５ａは、垂直上方から見ると、尻側から頭側にかけて、外側（棟の中心側とは反対側）に張り出すように湾曲している。また、雨受６の幅は、尻側から頭側にかけて漸減する。
【００３５】
図５によく示されているように、雨受６の尻側の幅Ｗ１ｅは、袖垂れ部５の尻側の厚みＷ２ｅよりも小さい。袖垂れ部５の尻側の厚みＷ２ｅは、瓦の平均的な厚みであり、その実際の大きさは概ね１５ｍｍ程度である。
【００３６】
袖瓦は軒先方向から見ると逆Ｌ字型であり、葺設した際、下段の袖瓦１０２の逆Ｌ字の上に上段の袖瓦２が重なるので、上段の袖瓦２の袖垂れ部５の下方に下段の袖瓦１０２の雨受１０６の上面１０６ａが位置する。それゆえ、仮に袖瓦が単純な形状であり、袖垂れ部の厚みと雨受の幅が同じであれば、葺設したときに下段の袖瓦の雨受の尻側上面は上段の袖瓦の袖垂れ部の頭側下面の直下になる。ところが第１実施例の袖瓦２では、図４によく示されているように、葺設したときに下段の袖瓦１０２の雨受１０６の尻側における上面１０６ａは上段の袖瓦２の袖垂れ部５の頭側下面よりも外側に張り出している。その結果、垂直上方から見て、上段の袖瓦の雨受６の外側輪郭線ＰＬと頭見付面５ｃの交点Ｐが下段の袖瓦１０２の雨受１０６上面１０６ａとオーバーラップする。この位置関係を実現しているのは、袖垂れ部５の外側面５ａが、袖瓦の頭側で内側へ屈曲しているとともに、雨受６も袖垂れ部５の外側面５ａに沿って内側へ屈曲しているからである。
【００３７】
袖垂れ部５と雨受６を頭側で内側に屈曲させることにより、雨受６の幅を袖垂れ部５の尻側の厚み以下としながら、垂直上方から見て上段の袖瓦２の交差位置Ｐと下段の袖瓦１０２の雨受上面１０６ａがオーバーラップする関係を成立させている。
【００３８】
第１実施例の袖瓦２では、雨受６の最大幅Ｗ１ｅは、袖垂れ部５の尻側における厚みW２ｅの約８０％程度である。なお、袖垂れ部５の尻側における厚みＷ２ｅは袖瓦全体における、平均的な厚みとほぼ等しく、概ね１５ｍｍ程度である。
【００３９】
第１実施例の袖瓦２は、雨受６を袖垂れ部５の外側面５ａに沿って内側へ屈曲させ、葺設時に垂直上方からみたときに、雨受６の外側輪郭線ＰＬと袖瓦の頭側側面との交点Ｐが、葺設時に袖瓦２の下段に位置する下段袖瓦１０２の雨受１０６の上面と重なる構造を有している。頭側にて雨受６の上面が急角度で内側へ屈曲していると、流れる雨水の勢いが強い場合、雨受上面６ａを流れる雨水は頭見付面５ｃへ達せず途中で雨受上面６ａから離れてしまう虞がある。そこで、図６に示すように、葺設時に垂直上方からみたときに、雨受上面６ａの外側輪郭線ＰＬを頭側へ延長した仮想線ＰＧと、雨受６の切り落とし面６ｂがなす角度Ａｔは、４５度以下であることが好ましい。なお、鉛直上方からみたときに、雨受６の切り落とし面６ｂに相当する線は、雨受６の外側輪郭線のうち頭側で屈曲している部分に相当する。仮想線ＰＧと雨受６の切り落とし面６ｂがなす角度Ａｔが４５度以下であれば、雨水の勢いが強くても、雨受６が屈曲している部分から雨水は飛び出し難くなる。なお、図６は、図４と同一の図であって、角度Ａｔを理解し易くするために幾つかの符号を除去した図である。
【００４０】
また、図６によく示されているように、上段の袖瓦２の雨受６の外側輪郭線を屈曲部（雨受６の切り落とし面６ｂ）から軒下方向に延長した直線ＰＧが、下段に位置する袖瓦１０２の雨受１０６の尻端部における外側輪郭線よりも外側に位置することに相当する。この特徴が、尻側における雨受６の幅を小さくできることを表している。
【００４１】
第１実施例の袖瓦２では、袖垂れ部の外側面５ａが、袖瓦２の頭側で内側へ屈曲しているとともに、雨受６も袖垂れ部の外側面５ａに沿って内側へ屈曲していた。外側面５ａと雨受６は、屈曲するかわりに湾曲していてもよい。図７に、外側面と雨受を頭側で内側に湾曲させた変形例の袖瓦４０２を示す。図７は、図４に相当する図である。袖瓦４０２は、袖垂れ部５の外側面５ａが、袖瓦の頭側で内側へ湾曲しているとともに、雨受６も袖垂れ部の外側面５ａに沿って内側へ湾曲している。図７において、符号４０５ｂが、外側面５ａにおいて頭側の内側へ湾曲している部位（外側湾曲面４０５ｂ）を示しており、符号４０６ｂは、雨受６において頭側の内側へ湾曲している部位（湾曲面４０６ｂ）を示している。そして、袖瓦４０２でも、葺設時に垂直上方からみたときに、雨受６の外側輪郭線ＰＬと袖瓦４０２の頭側側面（頭見付面５ｃ）との交点Ｐが、葺設時に袖瓦４０２の下段に位置する下段袖瓦５０２の雨受５０６の上面５０６ａと重なるように構成されている。そのような構成により袖瓦４０２も前述した袖瓦２と同じ効果を奏する。なお、交点Ｐは、厳密にいえば、垂直上方からみたときに、雨受６の外側輪郭線ＰＬと、袖瓦４０２の頭見付面５ｃに相当する線の延長線Ｇ（図７参照）との交点に相当する。
【００４２】
なお、袖瓦４０２において、図６の角度Ａｔに相当する角度は、雨受６の外側輪郭線ＰＬを延長した仮想線（図６の仮想線ＰＧ）と、湾曲面４０６ｂを垂直上方からみたときの曲線の近似直線とのなす角度である。
【００４３】
第１実施例で説明した技術に関する留意点を述べる。実施例における雨受６が、袖垂れ部５の外側面５ａの下端に、尻から頭にわたって設けられた突条の一例に相当する。
【００４４】
図４は、葺設された袖瓦２、１０２を垂直上方から見た図である。また、図４は、図５における符号IVが示す範囲の拡大図である。なお、図を理解し易くするため、本体部３の上面の上面流れ方向水返し３ａと尻側水返し３ｂは図示を省略している。本明細書が開示する技術では、雨受６の外側輪郭線ＰＬと袖瓦２の頭見付面５ｃとの交点Ｐが、「垂直上方からみて」葺設時に袖瓦２の下段に位置する下段袖瓦の雨受上面と重なる。
【００４５】
上記のごとく、袖垂れ部５の外側面５ａを、袖瓦の頭側で内側へ屈曲（あるいは湾曲）させるとともに、雨受６も袖垂れ部５の外側面５ａに沿って内側へ屈曲（あるいは湾曲）させ、さらに、葺設時に垂直上方からみたときに、雨受の外側輪郭線ＰＬと袖瓦の頭側側面５ｃとの交点Ｐが、葺設時にその袖瓦の下段に位置する下段袖瓦の雨受の上面と重なるように設けると、袖垂れ部を伝う雨水が地面に落ちることを効果的に抑止する。このとき、雨受６の幅は、袖瓦の厚み以下とすることができる。運搬時の破損防止の観点からは、雨受の幅はできるだけ狭い方がよい。発明者のさらなる検討によると、雨受の幅をさらに狭くしても、上記した袖瓦に準じる効果を得られることが判明した。その袖瓦を、本明細書の第２実施例として次に説明する。
【００４６】
（第２実施例）第２実施例の袖瓦７０２の部分拡大図を図８に示す。図８は、図４に対応する平面図である。図８に示す袖瓦７０２は、次の特徴を有する。袖瓦７０２は、袖垂れ部５の外側面５ａを、袖瓦の頭側で内側へ屈曲（あるいは湾曲）させるとともに、雨受７０６も袖垂れ部５の外側面５ａに沿って内側へ屈曲（あるいは湾曲）させる点では上記の袖瓦２と同じである。ただし、この袖瓦７０２は、葺設時に垂直上方からみたときに、袖垂れ部５の外側面５ａと雨受７０６の境界線ＰＭと、袖瓦の頭側側面５ｃとの交点Ｑが、葺設時にその袖瓦の下段に位置する下段袖瓦８０２の雨受８０６の上面８０６ａと重なるように、雨受７０６を構成する。図８では、境界線ＰＭは、袖垂れ部５の外側面５ａを示す直線に一致する。なお、垂直上方からみたときに、雨受上面７０６ａと外側面５ａとの境界線を頭方向に延長した仮想線ＰＨと、袖垂れ部５の切り落とし面５ｂがなす角度Ａｈは、４５度以下であることが好ましい。角度Ａｈが４５以下であれば、上段の袖瓦の雨受上面７０６ａを勢いよく流れてきた雨水は、表面張力により袖垂れ部５の切り落とし面５ｂから離れずに流れる。その結果、雨受７０６の上面７０６ａと外側面５ａとの境界線ＰＭを伝って流れる雨水の量が多くなり、雨受７０６の切り落とし面７０６ｂから地面への雨水の落下が防止される。なお、袖瓦の垂直上方からみたときの袖垂れ部５の切り落とし面５ｂに相当する線分は、外側面５ａと雨受上面７０６ａとの境界線にうち、屈曲部よりも頭側の境界線に相当する。
【００４７】
図８に示す仮想線Ｋは、下段の袖瓦が、第１実施例の袖瓦２である場合の雨受６の外側輪郭線を示す。符号Ｗ１ｅは、第１実施例の袖瓦２における雨受上面６ａの尻側の幅を示しており、符号Ｗ３ｅは、第２実施例の袖瓦８０２における雨受上面８０６ａの尻側の幅を示している。図８に示すように、袖瓦７０２は、第１実施例の袖瓦２と比較して雨受８０６の幅（雨受上面８０６ａの幅）Ｗ３ｅが狭くなっているが、上述したとおり、従来の袖瓦に比べて雨水の落下防止効果が期待できる。但し、風雨が激しさを増したときの雨水落下防止効果は、この袖瓦７０２よりも、図１〜図７に示した袖瓦の方が優れている。第１実施例の袖瓦２も第２実施例の袖瓦７０２もいずれも、葺設時に垂直上方からみたとき、下段の袖瓦の尻側における最外側（即ち、尻側において、雨受６の外側の位置）は、上段の袖瓦の最外側の位置（図では、外側輪郭線ＰＬにおいて、雨受６が内側に屈曲する屈曲点）よりも内側に位置する。
【００４８】
袖瓦７０２においても、雨受７０６（８０６）の尻側の幅Ｗ３ｅは袖垂れ部５の厚み以下である。また、雨受７０６（８０６）の頭側の幅は尻側の幅よりも狭い。
【００４９】
なお、「葺設時に垂直上方からみたときに、雨受６の外側輪郭線ＰＬと袖瓦２の頭側側面５ｃとの交点Ｐが、葺設時にその袖瓦の下段に位置する下段袖瓦の雨受６の上面６ａと重なる」という条件が成立するときには、必ず、「葺設時に垂直上方からみたときに、袖垂れ部の外側面５ａと雨受７０６との境界線ＰＭと、袖瓦の頭側側面との交点Ｑが、葺設時にその袖瓦７０２の下段に位置する下段袖瓦の雨受の上面と重なる」という条件が成立するが、その逆は必ずしも成立しない。即ち、前者の条件が成立する範囲は後者の条件が成立する範囲に含まれることに留意されたい。
【００５０】
また、袖垂れ部５の外側面は、頭側で屈曲ではなく湾曲していてもよいし、雨受上面７０６ａが頭側で袖垂れ部５の湾曲に沿って湾曲していてもよい。そのような形状は、図７において下段の袖瓦５０２の雨受上面５０６ａの外側輪郭線（図７において袖瓦５０２の最も右側の線）の位置が、交点Ｐよりも左側であって、かつ、外側湾曲面４０５ｂと頭見付面５ｃとの交点よりも右側となる。このことは、袖垂れ部の外側面が、袖瓦の頭側で内側へ湾曲している場合は、垂直上方からみて湾曲を直線で近似化した線分と湾曲部よりも尻側の境界線とがなす角度が４５度以下であればよいことを意味する。即ち、「葺設時に垂直上方からみたときに、袖垂れ部の外側面と雨受の境界線のうち屈曲箇所よりも頭側の境界線と、屈曲箇所よりも尻側の境界線の延長線とのなす角度が４５度以下である」とは、外側面が頭側で湾曲している場合には垂直上方からみたときのその湾曲線の近似直線が上記の条件を満足することを含む。
【００５１】
袖瓦には軒先から見て本体部の左側に袖垂れ部を備えるタイプもあるが、本明細書が開示する技術はいずれの袖瓦にも適用することができる。
【００５２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５３】
２、１０２、２０２、４０２、５０２、７０２、８０２：袖瓦
３：本体部
５：袖垂れ部
５ａ：外側面
５ｃ：頭見付面（頭側側面）
５ｅ：段差
６、１０６、２０６、７０６、８０６：雨受（突条）
６ａ、１０６ａ、２０６ａ、７０６ａ、８０６ａ：雨受上面
６ｃ：先端上面
ＰＬ：雨受の外側輪郭線
ＰＧ：外側輪郭線ＰＬを頭側へ延長した線
ＰＭ：袖垂れ部の外側面と雨受との境界線
Ｐ：頭側側面と外側輪郭線との交点
Ｑ：頭側側面と境界線との交点
【図１】
2014201919.tif 000003
【図２】
2014201919.tif 000004
【図３】
2014201919.tif 000005
【図４】
2014201919.tif 000006
【図５】
2014201919.tif 000007
【図６】
2014201919.tif 000008
【図７】
2014201919.tif 000009
【図８】
2014201919.tif 000010